(57)【要約】【課題】本発明は、配線形態の柔軟性を向上して工事コストの低減に寄与することができる光ドロップケーブルを提供することにある。【解決手段】複数の素線又はテープ心線からなる光ファイバ１３−１〜１３−８を準備しておく。次いで、これらの光ファイバ１３−１〜１３−８をケーブルシース２１に設けられた収納部１５内に一列に収容配置する。ケーブルシース２１には、収納部１５の中央部を２分割するための分割位置を示す略Ｖ字形状のノッチ部１７，１９を設ける。【選択図】　　　図１
2004101624.tif 000002
【特許請求の範囲】
【請求項１】
複数の素線又はテープ心線からなる光ファイバと、
前記光ファイバを一列に配置して収納する収納部の中央部を２分割するための分割位置を示す略Ｖ字形状のノッチ部を設けた長尺形状のケーブルシースと、
前記ケーブルシースの収納部の近傍に設けられ伸長方向の張力を吸収する抗張力体とを備えたことを特徴とする光ドロップケーブル。
【請求項２】
前記ケーブルシースの短面に接続して前記光ファイバを支持する支持線を備えたことを特徴とする請求項１記載の光ドロップケーブル。
【請求項３】
前記光ファイバに縦添えする緩衝層を有し、
前記光ファイバと緩衝層とを一体にして前記収納部に収納することを特徴とする請求項１記載の光ドロップケーブル。
【請求項４】
複数の素線又はテープ心線からなる光ファイバと、
前記光ファイバに縦添えする緩衝層と、
前記光ファイバを一列に配置して前記緩衝層と一体に収納する収納部の中央部を２分割するための分割位置を示す略Ｖ字形状のノッチ部を設けた長尺形状のケーブルシースと、
前記ケーブルシースの短面に接続して前記光ファイバを支持する支持線と、
前記ケーブルシースの収納部の近傍に設けられ伸長方向の張力を吸収する抗張力体とを備えたことを特徴とする光ドロップケーブル。
【発明の詳細な説明】
【０００１】
【発明の属する技術分野】
本発明は、光ファイバネットワークの支線系に接続されているクロージャから例えば集合住宅の構内に引き落とすためのドロップケーブルに関し、特に、配線形態の柔軟性を向上して工事コストの低減に寄与することができる光ドロップケーブルに関する。
【０００２】
【従来の技術】
近年、高度情報通信社会の推進に向けて、ＦＴＴＨ（Ｆｉｂｅｒ　ｔｏ　ｔｈｅ　Ｈｏｍｅ）が提唱されている。このＦＴＴＨは、個々の家庭まで光ファイバを引き込んで、電話、コンピュータ通信、ＣＡＴＶ（ケーブル・テレビや光ネットワークの配線方法）などの通信サービスを統合して提供するネットワークであり、電話局の末端にリモート端末を設置しておき、そのリモート端末から幹線系の光ケーブルを敷設し、幹線上に設けられたクロージャから各家庭や集合住宅に光ドロップケーブルを敷設するものである。
【０００３】
従来の光ドロップケーブルは、例えば特開２０００−１７１６７３に記載されているような１心または２心ケーブルであり、支線系に接続されているクロージャから例えば集合住宅に設けられた光成端箱にこの光ドロップケーブルを引き込み、さらに、光成端箱を経由して光ドロップケーブルを例えば集合住宅の各家庭に設けられたローゼットまで配線するものである。
【０００４】
詳しくは、図６に示すように、従来の光ドロップケーブル１０１は、１心の素線又は２心のテープ心線からなる光ファイバ１０３が長尺形状のケーブルシース１０７に設けられた収納部１０５に収納されており、ケーブルシース１０７の収納部１０５の近傍に伸長方向の張力を吸収する抗張力体１０９が設けられている。さらに、ケーブルシース１０７の短尺面（短面）に光ファイバ１０３を支持するテンションメンバ１１１がネック１１３とともに一体成形されている。
【０００５】
【発明が解決しようとする課題】
しかしながら、上述した従来の光ドロップケーブルは、その心数が１心または２心であるため、１本の光ドロップケーブルから１つの家庭にしか引き落としができない。このため、集合住宅などでは、戸数に見合っただけの光ドロップケーブルの条数が必要となる。
【０００６】
また、新規加入の都度、クロージャから各家庭のローゼットまで光ドロップケーブルを敷設する工事が必要になり、敷設工事の所要時間がかかるので、コスト上昇の要因になるといった問題があった。
さらに、従来の光ドロップケーブルは、側圧や曲げなどの外力により光ファイバに歪みが加わり、この光ファイバの歪みによって損失増加などの劣化を発生させるという問題もあった。
【０００７】
本発明は、上記に鑑みてなされたもので、その目的としては、配線形態の柔軟性を向上して工事コストの低減に寄与することができる光ドロップケーブルを提供することにある。
【０００８】
【課題を解決するための手段】
請求項１記載の発明は、上記課題を解決するため、複数の素線又はテープ心線からなる光ファイバと、前記光ファイバを一列に配置して収納する収納部の中央部を２分割するための分割位置を示す略Ｖ字形状のノッチ部を設けた長尺形状のケーブルシースと、前記ケーブルシースの収納部の近傍に設けられ伸長方向の張力を吸収する抗張力体とを備えたことを要旨とする。
【０００９】
請求項２記載の発明は、上記課題を解決するため、前記ケーブルシースの短面に接続して前記光ファイバを支持する支持線を備えたことを要旨とする。
【００１０】
請求項３記載の発明は、上記課題を解決するため、前記光ファイバに縦添えする緩衝層を有し、前記光ファイバと緩衝層とを一体にして前記収納部に収納することを要旨とする。
【００１１】
請求項４記載の発明は、上記課題を解決するため、複数の素線又はテープ心線からなる光ファイバと、前記光ファイバに縦添えする緩衝層と、前記光ファイバを一列に配置して前記緩衝層と一体に収納する収納部の中央部を２分割するための分割位置を示す略Ｖ字形状のノッチ部を設けた長尺形状のケーブルシースと、前記ケーブルシースの短面に接続して前記光ファイバを支持する支持線と、前記ケーブルシースの収納部の近傍に設けられ伸長方向の張力を吸収する抗張力体とを備えたことを要旨とする。
【００１２】
【発明の実施の形態】
以下、本発明の実施の形態を図面を参照して説明する。
（第１の実施の形態）
図１は、本発明の第１の実施の形態に係る光ドロップケーブル１１の構成を示す断面図である。
【００１３】
図１に示す光ドロップケーブル１１は、光ファイバ１３−１〜１３−８、収納部１５、ノッチ部１７，１９、ケーブルシース２１、抗張力体２３，２５から構成されている。
光ファイバ１３−１〜１３−８は、１心の素線又は２心のテープ心線からなり、ケーブルシース２１に設けられた収納部１５に一列に互いに隣接して直線状に配置される。この収納部１５は、ケーブルシース２１の縦断面における中央に、その短尺面（以下、短面という。）２１ａ方向に延びるように略長円形状に形成されている。
【００１４】
ケーブルシース２１は、断面寸法が横４．０ｍｍ，縦２．０ｍｍの長尺形状で、低密度の難燃ポリエチレンからなり、収納部１５に光ファイバ１３−１〜１３−８を収納して被覆する。また、ケーブルシース２１は、その長尺面（以下、長面という。）２１ｂに収納部１５の形成方向に対して直交するように、収納部１５の中央部を２分割するための分割位置を示す略Ｖ字形状のノッチ部１７，１９を切欠き形成している。
【００１５】
さらに、ケーブルシース２１は、収納部１５の縦断面両端近傍に伸長方向の張力を吸収する外径０．４ｍｍの亜鉛めっきなどの防食処理が施された鋼線からなる２本の抗張力体２３，２５をそれぞれ被覆している。なお、抗張力体２３，２５は、０．４ｍｍの鋼線の代わりに、ガラスＦＲＰやケブラーなどのアラミド繊維を用いることも可能である。
【００１６】
次に、図１を参照して、光ドロップケーブル１１の作用効果について説明する。
まず、図１に示すように、複数の素線又はテープ心線からなる光ファイバ１３−１〜１３−８を準備しておく。
【００１７】
次いで、これらの光ファイバ１３−１〜１３−８をケーブルシース２１に設けられた収納部１５内に一列に収容配置する。
【００１８】
このケーブルシース２１には、収納部１５の形成方向に対して直交する長面２１ｂに、分割位置を示す略Ｖ字形状のノッチ部１７，１９が切欠き形成され、ケーブルシース２１の収納部１５の断面両端近傍にケーブルの伸長方向の張力を吸収する抗張力体２３，２５が設けられる。
【００１９】
このように本実施の形態では、収納部１５に光ファイバ１３−１〜１３−８を一列に収容配置して被覆し、また長面２１ｂに収納部１５の形成方向に対して直交するように、収納部１５の中央部を２分割するための分割位置を示す略Ｖ字形状のノッチ部１７，１９を切欠き形成しているので、ノッチ部１７，１９を中心に↑↓方向に逆の力を加えてケーブルシース２１を引き裂いて２分割することで、光ファイバ１３−１〜１３−８を容易に取り出すことができる。
【００２０】
すなわち、ケーブルシース２１は、長面２１ｂにおいてノッチ部１７，１９の切欠き方向に対して互いに逆方向にせん断力を加えることで、ケーブルシース２１を引き裂いて２分割することができる。
【００２１】
また、本実施の形態では、光ドロップケーブル１１を２分割しても、光ファイバ１３−１〜１３−８が抗張力体２３，２５を有しているので、ケーブルの伸長方向の張力を吸収することができる。
【００２２】
さらに、本実施の形態では、ケーブルシース２１の収納部１５に複数の光ファイバ１３−１〜１３−８を収納したことにより、１本のケーブルで複数のユーザに配線することができる。その複数の光ファイバ１３−１〜１３−８は、収納部１５に一列に収容配置されているので、ケーブルの厚さが薄くなり、狭い場所へ配線がし易くなる。
【００２３】
さらにまた、本実施の形態では、複数の光ファイバ１３−１〜１３−８は、収納部１５に一列に並んでいるので、光ファイバ１３−１〜１３−８に識別用の着色やマーキングを施す際、同種の色やマークを周期的に繰り返し使用することができるので、色やマークの数を減らすことが可能となるとともに、相互の識別も容易になる。
【００２４】
これら８本の光ファイバ１３−１〜１３−８の場合には、順に例えば識別色である「青」色、「黄」色、「緑」色、「赤」色、「紫」色、「黄」色、「緑」色、「赤」色の塗料を８本の光ファイバ１３−１〜１３−８に塗布することにより、識別用の着色数は５色で済むことになる。
【００２５】
このことから、本実施の形態によれば、光ファイバの心数分のユーザに対して１本のケーブルを敷設すればよいことになり、配線工事コストを削減することができる。また、ケーブルが薄くなることは、外被であるケーブルシース２１の樹脂の量も低減し、かつ単位長さ当たりのケーブル重量が軽くなるとともに、材料費も削減することが可能になる。
【００２６】
（第２の実施の形態）
図２は、本発明の第２の実施の形態に係る光ドロップケーブル３１の構成を示す断面図である。なお、本実施の形態では、前記第１の実施の形態と同一の部分には、図１と同一の符号を用いて説明する。他の実施の形態も同様である。
【００２７】
図２に示す光ドロップケーブル３１は、図１に示す光ドロップケーブル１１に対して、ケーブルシース３３を形成する際にネック３５を介して支持線としてのテンションメンバ３７を付け加えている。このテンションメンバ３７には、１．２ｍｍの鋼線を使用している。
【００２８】
すなわち、本実施の形態の光ドロップケーブル３１は、ケーブルシース３３の短面３３ａにネック３５を介して光ファイバ１３−１〜１３−８を支持するテンションメンバ３７が接続されるように、ケーブルシース３３の短面３３ａにネック３５を介してテンションメンバ３７が一体成形されている。
【００２９】
次に、図２を参照して、光ドロップケーブル３１の作用効果について説明する。
まず、図２に示すように、複数の素線又はテープ心線からなる光ファイバ１３−１〜１３−８を準備しておく。
【００３０】
次いで、これらの光ファイバ１３−１〜１３−８をケーブルシース３３に設けられた収納部１５に一列に収容配置する。
【００３１】
このケーブルシース３３には、収納部１５の形成方向に対して直交する長面３３ｂに、分割位置を示す略Ｖ字形状のノッチ部１７，１９が切欠き形成され、ケーブルシース３３の収納部１５の断面両端近傍にケーブルの伸長方向の張力を吸収する抗張力体２３，２５が設けられる。また、ケーブルシース３３を形成する際にネック３５を介してテンションメンバ３７を付け加える。
【００３２】
このように本実施の形態では、収納部１５に光ファイバ１３−１〜１３−８を一列に収容配置してケーブルシース３３で被覆し、また長面３３ｂに収納部１５の形成方向に対して直交するように、収納部１５の中央部を２分割するための分割位置を示す略Ｖ字形状のノッチ部１７，１９を切欠き形成し、さらにテンションメンバ３７を被覆しているので、支線系に設けられたクロージャ（図示しない）から集合住宅に設けられた光成端箱（図示しない）まで光ドロップケーブル３１を引き込むことができる。
【００３３】
また、集合住宅内では、ノッチ部１７，１９を中心に↑↓方向に逆の力を加えてケーブルシース３３を引き裂いて２分割することができ、光ファイバ１３−１〜１３−８を容易に取り出すことができる。
【００３４】
すなわち、ケーブルシース３３は、長面３３ｂにおいてノッチ部１７，１９の切欠き方向に対して互いに逆方向にせん断力を加えることで、ケーブルシース３３を引き裂いて２分割することができる。
【００３５】
また、本実施の形態では、光ドロップケーブル３１を２分割しても、光ファイバ１３−１〜１３−８が抗張力体２３，２５を有しているので、ケーブルの伸長方向の張力を吸収することができる。そして、ケーブルシース３３の短面３３ａに接続して光ファイバ１３−１〜１３−８を支持するテンションメンバ３７を備えたので、ケーブル自体の引張強度を高めることができ、敷設する際の取扱い性及び信頼性を向上させることができる。
【００３６】
さらに、本実施の形態では、ケーブルシース３３の収納部１５に複数の光ファイバ１３−１〜１３−８を収納したことにより、１本のケーブルで複数のユーザに配線することができる。その複数の光ファイバ１３−１〜１３−８は、収納部１５に一列に収容配置されているので、ケーブルの厚さが薄くなり、狭い場所へ配線がし易くなる。
【００３７】
さらにまた、本実施の形態では、複数の光ファイバ１３−１〜１３−８は、収納部１５に一列に並んでいるので、光ファイバ１３−１〜１３−８に識別用の着色やマーキングを施す際、同種の色やマークを周期的に繰り返し使用することができるので、色やマークの数を減らすことが可能となるとともに、相互の識別も容易になる。
【００３８】
この結果、本実施の形態によれば、光ファイバの心数分のユーザに対して、１本の光ドロップケーブルの敷設で賄うことができ、配線工事コストを削減することができる。また、ケーブルが薄くなることは、外被であるケーブルシース３３の樹脂の量も低減し、かつ単位長さ当たりのケーブル重量が軽くなるとともに、材料費も削減することが可能になる。
【００３９】
（第３の実施の形態）
図３は、本発明の第３の実施の形態に係る光ドロップケーブル４１の構成を示す断面図である。
図３に示す光ドロップケーブル４１は、図１に示す光ドロップケーブル１１に対して、ケーブルシース４３の収納部１５に、一列にした８心の光ファイバ１３−１〜１３−８に緩衝層４５が縦添えされて配置される。この緩衝層４５は、アラミド繊維、ケブラー繊維またはＰＰヤーンからなる。
ケーブルシース４３は、収納部１５に一列に配置された光ファイバ１３−１〜１３−８を緩衝層４５とともに収納して被覆する。
【００４０】
次に、図３を参照して、光ドロップケーブル４１の作用効果について説明する。
まず、図３に示すように、複数の素線又はテープ心線からなる光ファイバ１３−１〜１３−８を準備しておく。
【００４１】
次いで、これら一列の光ファイバ１３−１〜１３−８に対して緩衝層４５を縦添えしてケーブルシース４３に設けられた収納部１５内に収容配置する。
このケーブルシース４３には、収納部１５の形成方向に対して直交する長面４３ｂに、分割位置を示す略Ｖ字形状のノッチ部１７，１９が切欠き形成され、ケーブルシース４３の収納部１５の断面両端近傍にケーブルの伸長方向の張力を吸収する抗張力体２３，２５が設けられる。
【００４２】
このように本実施の形態では、収納部１５に緩衝層４５が縦添えされた光ファイバ１３−１〜１３−８を一列に収容配置して被覆し、また長面４３ｂに収納部１５の形成方向に対して直交するように、収納部１５の中央部を２分割するための分割位置を示す略Ｖ字形状のノッチ部１７，１９を切欠き形成しているので、ノッチ部１７，１９を中心に↑↓方向に逆の力を加えてケーブルシース２１を引き裂いて２分割することで、光ファイバ１３−１〜１３−８を容易に取り出すことができる。
【００４３】
すなわち、ケーブルシース４３は、長面４３ｂにおいてノッチ部１７，１９の切欠き方向に対して互いに逆方向にせん断力を加えることで、ケーブルシース４３を引き裂いて２分割することができる。
【００４４】
また、本実施の形態では、光ドロップケーブル４１を２分割しても、光ファイバ１３−１〜１３−８が抗張力体２３，２５を有しているので、ケーブルの伸長方向の張力を吸収することができる。そして、光ファイバ１３−１〜１３−８と緩衝層４５とを一体にして収納部１５に収納するので、光ファイバ１３−１〜１３−８に加わる外力を緩衝層４５で緩和することができる。
【００４５】
さらに、本実施の形態では、ケーブルシース４３の収納部１５に複数の光ファイバ１３−１〜１３−８を収納したことにより、１本のケーブルで複数のユーザに配線することができる。その複数の光ファイバ１３−１〜１３−８は、収納部１５に一列に収容配置されているので、ケーブルの厚さが薄くなり、狭い場所へ配線がし易くなる。
【００４６】
さらにまた、本実施の形態では、複数の光ファイバ１３−１〜１３−８は、収納部１５に一列に並んでいるので、光ファイバ１３−１〜１３−８に識別用の着色やマーキングを施す際、同種の色やマークを周期的に繰り返し使用することができるので、色やマークの数を減らすことが可能となるとともに、相互の識別も容易になる。
【００４７】
このことから、本実施の形態によれば、光ファイバの心数分のユーザに対して１本のケーブルを敷設すればよいことになり、配線工事コストを削減することができる。また、ケーブルが薄くなることは、外被であるケーブルシース４３の樹脂の量も低減し、かつ単位長さ当たりのケーブル重量が軽くなるとともに、材料費も削減することが可能になる。
【００４８】
（第４の実施の形態）
図４は、本発明の第４の実施の形態に係る光ドロップケーブル５１の構成を示す断面図である。
図４に示す光ドロップケーブル５１は、図３に示す光ドロップケーブル４１に対して、ケーブルシース５３を形成する際にネック５５を介して支持線としてのテンションメンバ５７を付け加えている。このテンションメンバ５７には、１．２ｍｍの鋼線を使用している。
【００４９】
すなわち、本実施の形態の光ドロップケーブル５１は、ケーブルシース５３の短面５３ａにネック５５を介して光ファイバ１３−１〜１３−８を支持するテンションメンバ５７が接続されるように、ケーブルシース５３の短面５３ａにネック５５を介してテンションメンバ５７が一体成形されている。
【００５０】
次に、図４を参照して、光ドロップケーブル５１の作用効果について説明する。
まず、図４に示すように、複数の素線又はテープ心線からなる光ファイバ１３−１〜１３−８を準備しておく。
【００５１】
次いで、これら一列の光ファイバ１３−１〜１３−８に対して緩衝層４５を縦添えしてケーブルシース５３に設けられた収納部１５内に収容配置する。
【００５２】
このケーブルシース５３には、収納部１５の形成方向に対して直交する長面５３ｂに、分割位置を示す略Ｖ字形状のノッチ部１７，１９が切欠き形成され、ケーブルシース５３の収納部１５の断面両端近傍にケーブルの伸長方向の張力を吸収する抗張力体２３，２５が設けられる。また、ケーブルシース５３を形成する際にネック５５を介してテンションメンバ５７を付け加える。
【００５３】
このように本実施の形態では、収納部１５に光ファイバ１３−１〜１３−８を一列に収容配置してケーブルシース５３で被覆し、また長面５３ｂに収納部１５の形成方向に対して直交するように、収納部１５の中央部を２分割するための分割位置を示す略Ｖ字形状のノッチ部１７，１９を切欠き形成し、さらにテンションメンバ５７を被覆しているので、支線系に設けられたクロージャ（図示しない）から集合住宅に設けられた光成端箱（図示しない）まで光ドロップケーブル５１を引き込むことができる。
【００５４】
また、集合住宅内では、ノッチ部１７，１９を中心に↑↓方向に逆の力を加えてケーブルシース５３を引き裂いて２分割することができ、光ファイバ１３−１〜１３−８を容易に取り出すことができる。
【００５５】
すなわち、ケーブルシース５３は、長面５３ｂにおいてノッチ部１７，１９の切欠き方向に対して互いに逆方向にせん断力を加えることで、ケーブルシース５３を引き裂いて２分割することができる。
【００５６】
また、本実施の形態では、光ドロップケーブル５１を２分割しても、光ファイバ１３−１〜１３−８が抗張力体２３，２５を有しているので、ケーブルの伸長方向の張力を吸収することができる。ケーブルシース５３の短面５３ａに接続して光ファイバ１３−１〜１３−８を支持するテンションメンバ５７を備えたので、ケーブル自体の引張強度を高めることができ、敷設する際の取扱い性及び信頼性を向上させることができる。そして、光ファイバ１３−１〜１３−８と緩衝層４５とを一体にして収納部１５に収納するので、光ファイバ１３−１〜１３−８に加わる外力を緩衝層４５で緩和することができる。
【００５７】
さらに、本実施の形態では、ケーブルシース５３の収納部１５に複数の光ファイバ１３−１〜１３−８を収納したことにより、１本のケーブルで複数のユーザに配線することができる。その複数の光ファイバ１３−１〜１３−８は、収納部１５に一列に収容配置されているので、ケーブルの厚さが薄くなり、狭い場所へ配線がし易くなる。
【００５８】
さらにまた、本実施の形態では、複数の光ファイバ１３−１〜１３−８は、収納部１５に一列に並んでいるので、光ファイバ１３−１〜１３−８に識別用の着色やマーキングを施す際、同種の色やマークを周期的に繰り返し使用することができるので、色やマークの数を減らすことが可能となるとともに、相互の識別も容易になる。
【００５９】
この結果、本実施の形態によれば、光ファイバの心数分のユーザに対して、１本の光ドロップケーブルの敷設で賄うことができ、配線工事コストを削減することができる。また、ケーブルが薄くなることは、外被であるケーブルシース５３の樹脂の量も低減し、かつ単位長さ当たりのケーブル重量が軽くなるとともに、材料費も削減することが可能になる。
【００６０】
（実施例）
図５は、第１〜第４の実施の形態に示す光ドロップケーブルを敷設した様子を示す概略図である。
図５に示すように、光ネットワークの支線系光ケーブル６１上に設けられているクロージャ６３に接続されている光ドロップケーブルは、他端が光成端箱６５を経由して集合住宅６７の各住宅に設けられたそれぞれのローゼット６９に接続されている。
【００６１】
光成端箱６５から集合住宅６７の１Ｆ（１階）までは、ケーブルシースを裂かずにそのまま敷設されている。
次いで、１Ｆにおいて、ケーブルシースの中央部分に設けられたノッチ部１７，１９から裂いて２分割する。
【００６２】
この時、前記第１〜第４の実施の形態に示す光ドロップケーブル１１，３１，４１，５１に対しては、さらに、ニッパなどの工具を用いてケーブルシースに切り込みを入れて裂けば、光ファイバ１３−１〜１３−８を容易に取り出すことができ、そして光ファイバ１３−１〜１３−８を必要な長さだけ１Ｆ〜４Ｆに２本づつ敷設することができる。
【００６３】
【発明の効果】
請求項１記載の本発明によれば、複数の素線又はテープ心線からなる光ファイバと、光ファイバを収納する収納部の中央部を２分割するための分割位置を示す略Ｖ字形状のノッチ部を設けた長尺形状のケーブルシースと、このケーブルシースの収納部の近傍に設けられ伸長方向の張力を吸収する抗張力体とを備え、収納部に複数の光ファイバを一列に配置したので、光ファイバの心数分のユーザに対して１本のケーブルを敷設すればよいことになり、配線工事コストを削減することができる。
【００６４】
また、複数の光ファイバは、収納部に一列に収容配置されているので、ケーブルの厚さが薄くなり、狭い場所へ配線がし易くなる。この結果、ケーブルの厚さが薄くなることは、外被であるケーブルシースの樹脂の量も低減し、かつ単位長さ当たりのケーブル重量が軽くなり、ケーブルの取扱い性が向上するとともに、材料費も削減することが可能になる。
【００６５】
さらに、複数の光ファイバは、収納部に一列に配置されていることから、識別用の色やマークを周期的に繰り返せるので、色やマークの数を少なくすることができる。
【００６６】
請求項２記載の本発明によれば、ケーブルシースの短面に接続して光ファイバを支持する支持線を備えたので、ケーブル自体の引張強度を高めることができ、敷設する際の取扱い性及び信頼性を向上させることができる。
【００６７】
請求項３記載の発明によれば、光ファイバに縦添えする緩衝層を有し、光ファイバと緩衝層とを一体にして収納部に収納するので、光ファイバに加わる外力を緩衝層で緩和することができる。
【００６８】
請求項４記載の発明によれば、複数の素線又はテープ心線からなる光ファイバと、光ファイバに縦添えする緩衝層と、光ファイバを緩衝層と一体収納する収納部の中央部を２分割するための分割位置を示す略Ｖ字形状のノッチ部を設けた長尺形状のケーブルシースと、このケーブルシースの短面に接続して光ファイバを支持する支持線と、ケーブルシースの収納部の近傍に設けられ伸長方向の張力を吸収する抗張力体とを備え、収納部に複数の光ファイバを一列に配置したので、光ファイバの心数分のユーザに対して１本のケーブルを敷設すればよいことになり、配線工事コストを削減することができる。
【００６９】
また、複数の光ファイバは、収納部に一列に収容配置されているので、ケーブルの厚さが薄くなり、狭い場所へ配線がし易くなる。この結果、ケーブルの厚さが薄くなることは、外被であるケーブルシースの樹脂の量も低減し、かつ単位長さ当たりのケーブル重量が軽くなり、ケーブルの取扱い性が向上するとともに、材料費も削減することが可能になる。
【００７０】
さらに、複数の光ファイバは、収納部に一列に配置されていることから、識別用の色やマークを周期的に繰り返せるので、色やマークの数を少なくすることができる。
【００７１】
ケーブルシースの短面に接続して光ファイバを支持する支持線を備えたので、ケーブル自体の引張強度を高めることができ、敷設する際の取扱い性及び信頼性を向上させることができる。
【００７２】
また、光ファイバと緩衝層とを一体にして収納部に収納するので、光ファイバに加わる外力を緩衝層で緩和することができる。
【図面の簡単な説明】
【図１】本発明の第１の実施の形態に係る光ドロップケーブルの構成を示す断面図である。
【図２】本発明の第２の実施の形態に係る光ドロップケーブルの構成を示す断面図である。
【図３】本発明の第３の実施の形態に係る光ドロップケーブルの構成を示す断面図である。
【図４】本発明の第４の実施の形態に係る光ドロップケーブルの構成を示す断面図である。
【図５】第１〜第４の実施の形態に示す光ドロップケーブルを敷設した様子を示す概略図である。
【図６】従来の光ドロップケーブルの構成を示す断面図である。
【符号の説明】
１１，３１，４１，５１　光ドロップケーブル
１３−１〜１３−８　光ファイバ
１５　収納部
１７，１９　ノッチ部
２１，３３，４３，５３　ケーブルシース
２１ａ　短面
２１ｂ　長面
２３，２５　抗張力体
３５，５５　ネック
３７，５７　テンションメンバ（支持線）
【図１】
2004101624.tif 000003
【図２】
2004101624.tif 000004
【図３】
2004101624.tif 000005
【図４】
2004101624.tif 000006
【図５】
2004101624.tif 000007
【図６】
2004101624.tif 000008